(57)【要約】【課題】  スリープモード移行時に、外部記憶装置が予約ジョブ情報を保持している場合に、電力供給を維持して外部記憶装置の寿命を延ばすことである。【解決手段】  ＣＰＵ１１２が予約ジョブをＨＤＤ１３２が記憶しているかを判断する（Ｓ３０４）。そして、予約ジョブをＨＤＤ１３２が記憶している場合に、予約された時間までにＡ時間以上あるかを判断する（Ｓ３０５）。そして、Ａ時間以上の場合は、電源制御部５０２がＨＤＤ１３２の電源をＯＦＦしてスリープモードに移行する。一方、Ａ時間以下である場合、さらに、Ｂ（Ｂ＜Ａ）時間以上であるかどうかを判断して、Ｂ時間以上である場合は、電源制御部５０２がＨＤＤ１３２の電源をＯＮ状態として、スリープモードに移行する（Ｓ３０８）構成を特徴とする。【選択図】  図１４
2007324956.tif 000002
【特許請求の範囲】
【請求項１】
画像データを入力する入力手段と、
前記入力手段により入力された画像データを出力する出力手段と、
前記入力手段により入力された画像データを記憶する記憶手段であって、前記画像データを前記出力手段にて出力させる時刻を指定した予約ジョブとして記憶可能な記憶手段と、
前記記憶手段へ電源を供給する供給手段と、
特定の条件が整った場合に、前記記憶手段への前記供給手段による電源供給を停止させるよう制御する制御手段とを有し、
前記制御手段は、前記特定の条件が整った場合であっても、現在時刻と前記予約ジョブにて指定されている時刻との時間差が第１の時間差以内である場合、前記供給手段による電源供給を停止させないことを特徴とする画像処理装置。
【請求項２】
前記制御手段は、前記特定の条件が整った場合であって、前記予約ジョブにて指定されている時刻と現在時刻との時間差が設定された第１の時間差より大きい場合、前記供給手段から前記記憶手段及び前記画像処理装置の他の部分に対する電力供給を停止して前記画像処理装置をスリープ状態に遷移させることを特徴とする請求項１記載の画像処理装置。
【請求項３】
前記制御手段は、前記特定の条件が整った場合であって、前記予約ジョブにて指定されている時刻と現在時刻との時間差が設定された前記第１の時間差以内かつ第２の時間差より大きい場合、前記供給手段から前記記憶手段に対する電力供給を維持しつつ、前記画像処理装置の他の部分に対する電力供給を停止して前記画像処理装置をスリープ状態に遷移させることを特徴とする請求項１記載の画像処理装置。
【請求項４】
前記制御手段は、前記特定の条件が整った場合であっても、前記予約ジョブにて指定されている時刻と現在時刻との時間差が前記第１の時間差より小さい第２の時間差以内である場合、前記供給手段から前記記憶手段及び前記画像処理装置の他の部分に対する電力供給を維持することを特徴とする請求項１記載の画像処理装置。
【請求項５】
前記予約ジョブ情報は、ファクシミリ送受信ジョブ、ネットワークを介するデータ送信ジョブを含むことを特徴とする請求項１〜４のいずれかに記載の画像処理装置。
【請求項６】
画像データを入力する入力工程と、
前記入力工程にて入力された画像データを記憶手段に記憶させる記憶工程であって、前記画像データを出力させる時刻を指定した予約ジョブとして前記記憶手段に記憶させる記憶工程と、
前記記憶工程にて前記記憶手段に記憶された予約ジョブを前記予約ジョブに指定された時刻に出力する出力工程と、
特定の条件が整った場合に、前記記憶手段への電源部からの電源供給を停止させるよう制御する制御工程とを有し、
前記制御工程は、前記特定の条件が整った場合であっても、現在時刻と前記予約ジョブにて指定されている時刻との時間差が第１の時間差以内である場合、前記電源部による前記記憶手段への電源供給を停止させないことを特徴とする画像処理方法。
【発明の詳細な説明】
【技術分野】
【０００１】
本発明は、画像処理装置及び画像処理方法に関するものである。
【背景技術】
【０００２】
近年、コピーやネットワークプリント、ＦＡＸ、e-mail送信等の複数の機能を実現することが可能なＭＦＰ（Multi Function peripheral:マルチファンクション周辺機器）が提供されている。これらの装置では、画像処理機能や編集機能、ネットワークで接続されたPC等の機器へ画像を転送する機能等の様々な機能を持っており、複雑な処理を同時に行うことも可能である。また、ＭＦＰには、複数の画像データを大量に処理するために、ハードディスク（ＨＤＤ）等の大容量な外部記憶デバイスを備えるものもある。
【０００３】
一般的なＨＤＤには、ＨＤＤ内のヘッドのロード／アンロードに約５万回の寿命が設定されており、電源をオフ・オンするたびにヘッドのロード／アンロードが繰り返されることになる。
【０００４】
一方、ＭＦＰによるコピーやプリント等の動作後に、一定の時間が経過すると装置の一部の回路の電源をオフする省エネルギーモードもしくはスリープモードに移行することにより、消費電力を下げることが可能である。
【０００５】
しかしながら、ＨＤＤは電源供給のオン／オフの回数が寿命により制限されており、ＨＤＤへの電源供給のオン／オフを頻繁に繰り返すと寿命である約５万回を超えてしまうこととなる。そのため、ＨＤＤの電源供給のオン／オフを切り替えてから、再びオン／オフを切り替えるまで一定時間に渡って制限を加えることで、寿命へ至る時間を延ばす技術が知られている（例えば、特許文献１参照）。
【特許文献１】特開２００５−１８６４２６号公報
【発明の開示】
【発明が解決しようとする課題】
【０００６】
しかしながら、上記ＨＤＤを備える画像処理装置においては、予約ジョブ、例えばプリント、ＦＡＸ、ネットワークを介したデータ送信等を含むジョブをＨＤＤに保存して、該予約ジョブに設定された出力時刻にジョブ処理を開始する場合がある。
【０００７】
この場合に、予約ジョブの出力設定時刻とは、独立してスリープモードに従いＨＤＤの電源供給を強制的に切断してしまうと、ＨＤＤの電源がオン・オフされることとなり、上記同様にＨＤＤの寿命である約５万回を超えてしまう。
【０００８】
本発明は、上記の課題を解決するためになされたもので、本発明の目的は、特定の条件が整った場合に記憶手段への電源供給を停止させる画像処理装置において、記憶手段に記憶された予約ジョブに指定されている時刻に応じて記憶手段への電源供給の停止を制限することで、記憶手段への電源供給を開始・停止する回数を減らして記憶手段の寿命を高めることにある。
【課題を解決するための手段】
【０００９】
上記目的を達成する本発明の画像処理装置は以下に示す構成を備える。
【００１０】
画像データを入力する入力手段と、前記入力手段により入力された画像データを出力する出力手段と、前記入力手段により入力された画像データを記憶する記憶手段であって、前記画像データを前記出力手段にて出力させる時刻を指定した予約ジョブとして記憶可能な記憶手段と、前記記憶手段へ電源を供給する供給手段と、特定の条件が整った場合に、前記記憶手段への前記供給手段による電源供給を停止させるよう制御する制御手段とを有し、前記制御手段は、前記特定の条件が整った場合であっても、現在時刻と前記予約ジョブにて指定されている時刻との時間差が第１の時間差以内である場合、前記供給手段による電源供給を停止させないことを特徴とする。
【００１１】
上記目的を達成する本発明の電力制御方法は以下に示す構成を備える。
【００１２】
画像データを入力する入力工程と、
前記入力工程にて入力された画像データを記憶手段に記憶させる記憶工程であって、前記画像データを出力させる時刻を指定した予約ジョブとして前記記憶手段に記憶させる記憶工程と、前記記憶工程にて前記記憶手段に記憶された予約ジョブを前記予約ジョブに指定された時刻に出力する出力工程と、特定の条件が整った場合に、前記記憶手段への電源部からの電源供給を停止させるよう制御する制御工程とを有し、前記制御工程は、前記特定の条件が整った場合であっても、現在時刻と前記予約ジョブにて指定されている時刻との時間差が第１の時間差以内である場合、前記電源部による前記記憶手段への電源供給を停止させないことを特徴とする。
【発明の効果】
【００１３】
本発明によれば、スリープモード移行時に、外部記憶装置が予約ジョブ情報を保持している場合に、電力供給を維持して外部記憶装置の寿命を延ばせる。
【発明を実施するための最良の形態】
【００１４】
次に本発明を実施するための最良の形態について図面を参照して説明する。
【００１５】
＜システム構成の説明＞
〔第１実施形態〕
＜画像処理装置の全体構成＞
図１は、本発明の第１実施形態を示す画像処理装置の全体構成を示すブロック図である。本例は、画像処理装置が、複写機能を実行するためのリーダ部２００とプリンタ部３００とを備える画像入出力装置１００で構成される例である。
【００１６】
図１において、画像入出力装置１００は、ＬＡＮ４００を介して接続されたホストコンピュータ（ＰＣ）４０１，４０２と、同様にＬＡＮ４００上に接続されたデータベースサーバ４１０と通信可能に構成されている。
【００１７】
この画像入出力装置１００は、コントローラ部１１０と、リーダ部２００とスキャナユニット２１０とプリンタ部３００および電源部５００と、操作部１８０と、ハードディスク等の外部記憶装置（ＨＤＤ）１３２で構成されている。
【００１８】
リーダ部２００は、原稿画像を光学的に読み取り、画像データに変換する。リーダ部２００は、原稿を読み取るための機能を持つスキャナユニット２１０と、原稿用紙を搬送するための機能を持つ原稿給紙ユニット２５０とで構成される。
【００１９】
プリンタ部３００は、記録紙を搬送し、その上に画像データを可視画像として印字して装置外に排紙する。プリンタ部３００は、複数種類の記録紙カセットを持つ給紙ユニット３６０を備える。また、プリンタ部３００は、画像データを記録紙に転写、定着させる機能を持つマーキングユニット３１０を備える。さらに、プリンタ部３００は、印字された記録紙をソート、ステイプルして機外へ出力する機能を持つ排紙ユニット３７０を備える。
【００２０】
コントローラ部１１０は、リーダ部２００、プリンタ部３００と電気的に接続される。また、コントローラ部１１０は、ＬＡＮ４００を介して、ＰＣ４０１，４０２及びデータベースサーバ４１０と、ＨＤＤ１３２と後述するインタフェースを介して接続されている。
【００２１】
データベースサーバ４１０では、画像入出力装置１００により読み込んだ２値画像及び多値画像をデータベースとして管理する。また、ＰＣ４０１等により属性情報を付加されたファイルもデータベースとして管理する。
【００２２】
コントローラ部１１０は、リーダ部２００を制御して、原稿の画像データを読み込み、プリンタ部３００を制御して画像データを記録用紙に出力してコピー機能を提供する。
【００２３】
また、画像入出力装置１００は、リーダ部２００から読み取った画像データを、コードデータに変換し、ＬＡＮ４００を介してＰＣ４０１，４０２へ送信するスキャナ機能を提供する。また、画像入出力装置１００は、ＰＣ４０１又は４０２からＬＡＮ４００を介して受信したコードデータを画像データに変換し、プリンタ部３００に出力するプリンタ機能を提供する。
【００２４】
操作部１８０は、コントローラ部１１０に接続され、液晶タッチパネルで構成され、画像入出力装置１００を操作するためのユーザＩ／Ｆを提供する。
【００２５】
電源部５００は、ＡＣ電源から電源が入力され、必要な電圧に変換し、コントローラ部１１０とリーダ部２００およびプリンタ部３００にそれぞれ電源を供給する。なお、コントローラ部１１０は、電源部５００からプリンタ部３００や、リーダ部２００に対する電力供給状態を省電力モードに切り替える制御を設定された省電力条件に基づいて行う機能を備えている。なお、Ｌ１〜Ｌ４は電源供給ラインである。電源供給ラインＬ４は常夜回路への電源供給ラインとして機能する。電源供給ラインＬ３は、ＨＤＤ１３２に対する電源供給ラインである。電源供給ラインＬ１はリーダ部２００に対する電源供給ラインである。電源供給ラインＬ２はプリンタ部３００に対する電源供給ラインである。
【００２６】
また、プリンタ部３００の一部のデバイス以外のデバイスに対する電源部５００からの電力供給を制限して、消費電力を抑える、いわゆる予熱モードを備える。電源部５００の詳細は、図１１において後述する。
【００２７】
なお、プリンタ部３００の定着プロセスの違いにより、低電力効果が異なる場合がある。
【００２８】
ＦＡＸ回線４１１は、コントローラ部１１０と接続され、外部で接続されるＦＡＸとの送受信を行う。
【００２９】
＜リーダ部２００及びプリンタ部３００のハード構成＞
図２は、図１に示したリーダ部２００及びプリンタ部３００のハード構成を示す概観図である。
【００３０】
リーダ部２００の原稿給紙ユニット２５０は原稿を先頭順に１枚ずつプラテンガラス２１１上へ給送し、原稿の読み取り動作終了後、プラテンガラス２１１上の原稿を排出するものである。原稿がプラテンガラス２１１上に搬送されると、ランプ２１２を点灯し、そして光学ユニット２１３の移動を開始させて、原稿を露光走査する。この時の原稿からの反射光は、ミラー２１４、２１５、２１６及びレンズ２１７によってＣＣＤイメージセンサ（以下ＣＣＤという）２１８へ導かれる。このように、走査された原稿の画像はＣＣＤ２１８によって読み取られる。
【００３１】
２２２はリーダ画像処理部であり、ＣＣＤ２１８から出力される画像データに所定の処理を施し、スキャナＩ／Ｆ１４０を介してコントローラ部１１０へと出力するところである。
【００３２】
３５２はプリンタ画像処理回路部であり、プリンタＩ／Ｆ１４５を介してコントローラ部１１０から送られる画像データをレーザドライバへと出力するところである。
【００３３】
プリンタ部３００のレーザドライバ３１７はレーザ発光部３１３、３１４、３１５、３１６を駆動するものであり、プリンタ画像処理部３５２から出力された画像データに応じたレーザ光をレーザ発光部３１３〜３１６より発光させる。このレーザ光はミラー３４０〜３５１によって感光ドラム３２５〜３２８に照射され、感光ドラム３２５〜３２８にはレーザ光に応じた潜像が形成される。３２１〜３２４は、それぞれブラック（Ｂｋ）、イエロー（Ｙ）、シアン（Ｃ）、マゼンダ（Ｍ）のトナーによって、潜像を現像するための現像器であり、現像された各色のトナーは、用紙に転写されフルカラーのプリントアウトがなされる。
【００３４】
給紙カセット３６０、３６１及び手差しトレイ３６２のいずれかより、レーザ光の照射開始と同期したタイミングで給紙された用紙は、レジストローラ３３３を経て、転写ベルト３３４上に吸着され、搬送される。そして、感光ドラム３２５、３２６、３２７、３２８に付着された現像剤を記録紙に転写する。現像剤の乗った記録紙は定着部３３５に搬送され、定着部３３５の熱と圧力により現像剤は記像紙に定着される。定着部３３５を通過した記録紙は排出ローラ３３６によって排紙トレイ３７１に排出される。また、オプションの排紙ユニット３７０は排出された記録紙を束ねて記録紙の仕分けをしたり、仕分けされた記録紙のステイプルを行う。
【００３５】
また、両面記録が設定されている場合は、排出ローラ３３６のところまで記録紙を搬送した後、排出ローラ３３６の回転方向を逆転させ、フラッパ３３７によって再給紙搬送路３３８へ導く。再給紙搬送路３３８へ導かれた記録紙は上述したタイミングで転写ベルト３３４へ給紙される。
【００３６】
＜スキャナ画像処理部の構成＞
図３は、図２に示したリーダ画像処理部２２２の詳細な構成を示すブロック図である。
【００３７】
図３において、リーダ画像処理部２２２では、プラテンガラス２１１上の原稿はＣＣＤ２１８に読み取られて電気信号に変換される。なお、ＣＣＤ２１８はカラーセンサの場合、ＲＧＢのカラーフィルタが１ラインＣＣＤ上にＲＧＢ順にインラインに乗ったもので構成される。また、ＣＣＤ２１８は、３ラインＣＣＤで、それぞれＲフィルタ・Ｇフィルタ・ＢフィルタをそれぞれのＣＣＤ毎に並べたものでも構わない。さらに、ＣＣＤ２１８は、フィルタがオンチップ化又はフィルタがＣＣＤと別構成になったものでも構わない。
【００３８】
そして、その電気信号（アナログ画像データ）はリーダ画像処理部２２２に入力され、クランプ＆Ａｍｐ．＆Ｓ／Ｈ＆Ａ／Ｄ部４０１でサンプルホールド（Ｓ／Ｈ）される。そして、クランプ＆Ａｍｐ．＆Ｓ／Ｈ＆Ａ／Ｄ部４０１でアナログ画像データのダークレベルを基準電位にクランプし、所定量に増幅される（上記処理順番は表記順とは限らない）。そして、クランプ＆Ａｍｐ．＆Ｓ／Ｈ＆Ａ／Ｄ部４０１で、Ａ／Ｄ変換されて、例えばＲＧＢ各８ビットのデジタル信号に変換される。
【００３９】
そして、ＲＧＢ信号はシェーディング部４０２で、シェーディング補正及び黒補正が施された後、コントローラ部１１０へと出力される。
【００４０】
＜コントローラ部の構成＞
図４は、図１に示したコントローラ部１１０の構成を示すブロック図である。
【００４１】
図４において、メインコントローラ１１１は、主にＣＰＵ１１２と、バスコントローラ１１３、各種Ｉ／Ｆコントローラ回路とから構成される。ＣＰＵ１１２とバスコントローラ１１３はコントローラ部１１０全体の動作を制御するものであり、ＣＰＵ１１２はＲＯＭ１２０からＲＯＭ・Ｉ／Ｆ１２１を経由して読み込んだプログラムに基づいて動作する。
【００４２】
また、ＰＣ４０１から受信したＰＤＬ（ページ記述言語）コードデータを解釈し、ラスターイメージデータに展開する動作も、このプログラムに記述されており、ソフトウエアによって処理される。また、バスコントローラ１１３は、各Ｉ／Ｆから入出力されるデータ転送を制御するものであり、バス競合時の調停やＤＭＡデータ転送の制御を行う。
【００４３】
ＤＲＡＭ１２２は、ＤＲＡＭ・Ｉ／Ｆ１２３によってメインコントローラ１１１と接続されており、ＣＰＵ１１２が動作するためのワークエリアや、画像データを蓄積するためのエリアとして使用される。
【００４４】
調歩同期シリアル通信コントローラ１１４は、リーダ部２００、プリンタ部３００の各ＣＰＵとシリアルバス１７２，１７３を介して制御コマンドを送受信し、操作部１８０のタッチパネルやキー入力の通信を行う。
【００４５】
ネットワークコントローラ１２５は、Ｉ／Ｆ１２７によってメインコントローラ１１１と接続され、コネクタ１２６によって外部ネットワークと接続される。ネットワークとしては一般的にイーサネット（登録商標）が挙げられる。
【００４６】
シリアルコネクタ１２４は、メインコントローラ１１１と接続されて、外部機器との通信を行う。シリアルバスとしては一般的にＵＳＢが挙げられる。ＦＡＮ１２８は、メインコントローラ１１１に接続され、コントローラ部１１０を冷却するのに用いる。
【００４７】
温度監視ＩＣ１４２は、シリアルバス１４３によってメインコントローラ１１１に接続されている。温度監視ＩＣ１４２はＦＡＮ１２８の制御や、リアルタイムクロックモジュール１３７の温度補正等に用いられる。
【００４８】
汎用高速バス１３０には、拡張ボードを接続するための拡張コネクタ１３５とＩ／Ｏ制御部１３６，ＨＤコントローラ１３１，コーデック１３３とが接続される。汎用高速バスとしては、一般的にＰＣＩバスが挙げられる。
【００４９】
コーデック１３３は、ＤＲＡＭ１２２に蓄積されたラスターイメージデータをＭＨ／ＭＲ／ＭＭＲ／ＪＢＩＧ／ＪＰＥＧ等の方式で圧縮し、また逆に圧縮され蓄積されたコードデータをラスターイメージデータに伸長する。
【００５０】
ＳＲＡＭ１３４は、コーデック１３３の一時的なワーク領域として使用される。ＤＲＡＭ１２２との間のデータの転送は、バスコントローラ１１３によって制御されＤＭＡ転送される。
【００５１】
ＨＤコントローラ１３１は、外部記憶装置を接続するためのものである。本実施形態においては、このＩ／Ｆを介してＨＤＤ１３２を接続している。ＨＤＤ１３２はプログラムを格納したり、画像データを記憶したりするのに用いている。ＨＤＤ１３２は、処理開始時刻が指定されている予約ジョブを記憶する領域や、ボックス機能を実行するための領域が確保されている。
【００５２】
Ｉ／Ｏ制御部１３６は、データバス１４４の制御を行い、ポート制御部１４５や割り込み制御部１４６の制御を行う。パネルＩ／Ｆ１４１は、ＬＣＤコントローラ１４０に接続され、操作部１８０上の液晶画面に表示を行うためのＩ／Ｆと、ハードキーやタッチパネルキーの入力を行うためのキー入力Ｉ／Ｆ１７１とから構成される。
【００５３】
操作部１８０は、液晶表示部と液晶表示部上に張り付けられたタッチパネル入力装置と、複数個のハードキーを有する。
【００５４】
タッチパネル又はハードキーにより入力された信号は前述したパネルＩ／Ｆ１７１を介してＣＰＵ１１２に伝えられ、操作部１８０上の液晶表示部は、パネルＩ／Ｆ１４１から送られてきた画像データを表示するものである。
【００５５】
操作部１８０上の液晶表示部には、本画像処理装置の操作における機能表示や画像データ等を表示する。
【００５６】
リアルタイムクロックモジュール１３７は、機器内で管理する日付と時刻を更新／保存するためのもので、バックアップ電池１３８によってバックアップされている。
【００５７】
ＳＲＡＭ１３９は、バックアップ電池１３８でバックアップされ、ユーザモードや各種設定情報や、ＨＤＤ１３２のファイル管理情報等を蓄積している。また、ＳＲＡＭ１３９には、例えばＨＤＤ１３２に対する予約ジョブの時刻情報も不揮発に記憶している。なお、ＳＲＡＭ１３９の代わりにＮＶＲＡＭで構成されていてもよい。
【００５８】
グラフィックプロセッサ（ＧＰ）１５１は、ＤＲＡＭ１２２に蓄積された画像データに対して、画像回転、画像変倍、色空間変換、二値化、スキャナ画像入力、及びプリンタ画像出力の処理を行う。
【００５９】
ＤＲＡＭ１５２は、ＧＰ１５１の一時的なワーク領域として使用される。ＧＰ１５１は、Ｉ／Ｆ１５０を介してメインコントローラ１１１と接続され、ＤＲＡＭ１２２との間のデータの転送は、バスコントローラ１１３によって制御されＤＭＡ転送される。
【００６０】
コネクタ１６０，１５５は、それぞれリーダ部２００とプリンタ部３００とに接続される。また、シリアル通信コントローラ１１４には、同調歩同期シリアルＩ／Ｆ１７３，１７２が接続される。また、ビデオＩ／Ｆ１６３，１６２は、スキャナ画像処理部１５７、プリンタ画像処理部１５３に接続される。
【００６１】
スキャナ画像処理部１５７は、コネクタ１６０を介してリーダ部２００と接続され、また、スキャナバス１６１によってＧＰ１５１と接続されている。そして、スキャナ画像処理部１５７は、リーダ部２００から受け取った画像に対して所定の処理を施す機能を有する。また、スキャナ画像処理部１５７は、リーダ部２００から送られたビデオ制御信号をもとに生成した制御信号を、スキャナバス１６１に出力する機能も有する。
【００６２】
ＦＩＦＯ１５８は、スキャナ画像処理部１５７と接続され、リーダ部２００から送られてくるビデオ信号のライン補正を行うのに用いられる。
【００６３】
プリンタ画像処理部１５３は、コネクタ１５５を介してプリンタ部３００と接続される。また、プリンタ画像処理部１５３は、プリンタバス１５６によってＧＰ１５１と接続されている。また、プリンタ画像処理部１５３は、ＧＰ１５１から出力された画像データに所定の処理を施して、プリンタ部３００へ出力する機能を有する。さらに、プリンタ画像処理部１５３は、プリンタ部３００から送られたビデオ制御信号をもとに生成した制御信号を、プリンタバス１６２に出力する機能も有する。
【００６４】
ＤＲＡＭ１５４は、プリンタ画像処理部１５３に接続され、ビデオ信号を一定時間遅延させるのに用いられる。
【００６５】
ＤＲＡＭ１２２上に展開されたラスターイメージデータのプリンタ部３００への転送は、バスコントローラ１１３によって制御される。具体的には、ＧＰ１５１、プリンタ画像処理部１５３、コネクタ１５５を経由して、プリンタ部３００へＤＭＡ転送される。
【００６６】
１９０はＦＡＸモデムであり、ＦＡＸ  Ｉ／Ｆ１９１を経由して外部の公衆回線とＦＡＸの送受信を行う。
【００６７】
＜スキャナ画像処理部の構成＞
図５は、図４に示したスキャナ画像処理部１５７を担う部分の詳細な構成を示すブロック図である。
【００６８】
図５において、リーダ部２００からコネクタ１６０を介して送られる画像データに対して、つなぎ＆ＭＴＦ補正部６０１で読取速度に応じてライン毎の遅延量を調整し、読取速度によって変化したＭＴＦを補正する。
【００６９】
ＣＣＤ２１８が３ラインＣＣＤの場合、つなぎ処理は３ラインの読取位置が同じになるように信号タイミングを補正する。ＦＩＦＯ１５８はライン遅延のバッファとして用いる。
【００７０】
読取位置タイミングが補正されたデジタル信号は入力マスキング部６０２によって、ＣＣＤ２１８の分光特性及びランプ２１２及びミラー２１４、２１５、２１６の分光特性を補正する。入力マスキング部６０２の出力はＡＣＳカウント部４０５及びＧＰ１５１へと送られる。
【００７１】
＜プリンタ画像処理部の構成＞
図６は、図４に示したプリンタ画像処理部１５３の詳細な構成を示すブロック図である。
【００７２】
図６において、ＧＰ１５１から、プリンタバス１５６を介して送られる画像データは、まずＬＯＧ変換部７０１に入力される。ＬＯＧ変換部７０１では、ＬＯＧ変換でＲＧＢ信号からＣＭＹ信号に変換する。
【００７３】
次に、モアレ除去部７０２でモアレが除去される。７０３はＵＣＲ＆マスキング部で、モアレ除去処理されたＣＭＹ信号はＵＣＲ処理でＣＭＹＫ信号が生成され、マスキング処理でプリンタ部３００の出力にあった信号に補正される。ＵＣＲ＆マスキング部７０３で処理された信号はγ補正部７０４で濃度調整された後、フィルタ部７０５でスムージング又はエッジ処理される。
【００７４】
出力切り替え７０６は、感光ドラム３２５〜３２８のドラム間の距離を補正するためにＤＲＡＭ１５４にＣＭＹＫ画像毎に一旦画像を蓄積し、ドラム間の距離を補正した画像をコネクタ１５５を介してプリンタ部３００へと送る。
【００７５】
＜操作部概要＞
図７は、図１に示した操作部１８０の構成を説明する平面図である。
【００７６】
図７において、ＬＣＤ表示部３００１は、ＬＣＤ上にタッチパネルシートが貼られており、システムの操作画面を表示するとともに、表示してあるキーが押されるとその位置情報をＣＰＵ１１２に伝える。
【００７７】
スタートキー３００２は、原稿画像の読取り動作を開始する時などに用いる。スタートキー中央部には、緑と赤の２色ＬＥＤがあり、その色によってスタートキーが使える状態にあるかどうかを示す。ストップキー３００３は稼働中の動作を止める働きをする。ＩＤキー３００４は使用者のユーザＩＤを入力するときに用いる。リセットキー３００５は操作部１８０からの設定を初期化するときに用いる。
【００７８】
３００６はソフトスイッチであり、このソフトスイッチ３００６を押下すると、一部の回路の電源をＯＦＦして、消費電力を削減するスリープモードに移行する。なお、図示しないハードスイッチをＯＦＦすると全ての回路がＯＦＦされる。
【００７９】
＜操作画面＞
図８は、図１に示した操作部１８０に表示する各画面のうち本実施形態に特徴的な画面であるメイン操作画面を示す図である。
【００８０】
画像入出力装置１００が提供する機能は、コピー、送信／ファックス、ボックス、拡張の４つの大きなカテゴリーに分かれている。このため、各機能は、操作画面３０１０上の上部に表示される４つのメインタブ、つまり、「コピー」タブ３１１１、「送信／ファックス」タブ３０１２、「ボックス」タブ３０１３、「拡張」３０１４に対応している。
【００８１】
これらのメインタブをユーザが選択する操作を行うことにより、各カテゴリーの画面への切り替えがＣＰＵ１１２の表示制御で行われる。他カテゴリーへの切り替えが許可されない場合は、メインタブの表示色が変わり、メインタブを押しても反応しない。
【００８２】
本実施形態において、コピー機能は、自機が有するリーダ部２００とプリンタ部３００を使用して通常のドキュメント複写を行う機能を含む。また、コピー機能は、自機が有するスキャナとネットワークで接続されたプリンタ部３００を使用してドキュメントの複写を行う機能（リモートコピー）を含む。
【００８３】
また、送信は、自機が有するリーダ部２００に置かれたドキュメントを、電子メール、リモートプリンタ、ファックス、ファイル転送（ＦＴＰ）及びデータベースに転送する機能であり、宛先を複数指定することが可能である。
【００８４】
さらに、ボックス機能は、リーダ部２００で読み取った原稿画像を本体に保存したり、保存された画像データをプリント出力したりすることが可能である。
【００８５】
図９は、図８に示したメイン操作画面から、「送信／ファックス」タブ３０１２を押した時の、送信／ファックス設定時の操作部画面例を示す図である。
【００８６】
図９において、送信／ファックス設定では、リーダ部２００で読み込んだ画像データの送り先を選択したり、作成したりすることが可能である。送り先は、ファックス、電子メール、ネットワークファイル、Ｉファックス等に設定することが出来る。さらに、予約設定ボタンＢＴ１を指示することで、予約ジョブとしてＦＡＸ送信やネットワーク送信の開始時刻を予約設定することも可能である。なお、予約ジョブは、図１に示したＨＤＤ１３２に保持され、設定された予約時刻と現在時刻との比較に基づいて、スリープモード移行時に後述する図１４に示す制御手順でＨＤＤ１３２に対する電源供給を電源制御部５０２がＯＦＦ或いはＯＮ状態に制御する。
【００８７】
図１０は、図１に示したＰＣ４０１，４０２からＬＡＮ４００を介してプリンタ部３００にデータを出力する場合の、ＰＣ上に表示されるプリンタドライバ画面の一例を示す図である。
【００８８】
図１０において、通常の印刷以外に、画像入出力装置１００の操作部１８０上で所定のパスワード等を入力してプリント出力するセキュアプリントや、出力時刻を指定して印刷する予約印刷等の予約ジョブを設定可能である。
【００８９】
本実施形態では、本画面において、ページ設定、仕上げ、給紙、印刷品質等のタブＴＡＢ１〜ＴＡＢ４が用意されている。ユーザは、本画面で、タブＴＡＢ１〜ＴＡＢ４を選択して、各ページ設定、仕上げ、給紙、印刷品質に対する詳細設定を行うことができる。現在、本画面では、ページ設定が選択された状態である。なお、ＢＴ１〜ＢＴ３はボタンで、それぞれ、ＯＫ，キャンセル、ヘルプに対応している。
【００９０】
＜電源部＞
図１１は、図１に示した電源部５００の詳細構成を説明するブロック図である。なお、図１と同一のものには同一の符号を付してある。
【００９１】
図１１において、５０１はＡＣ／ＤＣ変換部であり、ＡＣ１００Ｖ電源から画像入出力装置１００のリーダ部２００、プリンタ部３００、コントローラ部１１０に必要なＤＣ電圧に変換する。
【００９２】
５０２は電源制御部であり、コントローラ部１１０からの制御信号に応じて各ＦＥＴスイッチ５０３，５０４，５０５，５０６，５０７のＯＮ／ＯＦＦを制御する。これにより、それぞれＡＣ／ＤＣ変換部５０１、リーダ部２００、プリンタ部３００、コントローラ部１１０へ電源を供給する。
【００９３】
コントローラ部１１０は、図４に示したＣＰＵ１１２、ＤＲＡＭ１２２、ネットワークコントローラ１２５などから構成される常夜回路部５１３とそれ以外の非常夜回路５１４に分けられている。そして、電源制御部５０２は、ＦＥＴスイッチ５０６で非常夜回路５１４の電源を制御することが可能である。
【００９４】
ここで、非常夜回路５１４には、第２のデバイスとして機能するメインコントローラ１１１におけるバスコントローラ１１３、シリアル通信コントローラ１１４等の駆動回路系が含まれる。
【００９５】
常夜回路部５１３は、第１のデバイスとして、電源部５００からの電力供給を制限するスリープモード状態に遷移させる第２のデバイスを駆動する回路系である。例えばコントローラ部１１０内のＣＰＵ１１２、ＤＲＡＭ１２２、ネットワークコントローラ１２５等への駆動回路が含まれる。
【００９６】
また、コントローラ部１１０のＨＤＤ１３２の電源を、ＦＥＴスイッチ５０７で制御することが可能である。
【００９７】
このように、電源制御部５０２が各ＦＥＴスイッチ５０４，５０５をＯＦＦ制御することにより、画像入出力装置１００を長時間使用しないスリープモード等時にリーダ部２００とプリンタ部３００への電源供給を遮断する。これにより、画像入出力装置１００の消費電力を下げることが可能となる。
【００９８】
さらに、電源制御部５０２がＦＥＴスイッチ５０６，５０７をそれぞれＯＦＦすることにより、コントローラ部１１０内の非常夜回路５１４およびＨＤＤ１３２の電源供給を遮断し、さらに消費電力を削減することが可能となる。具体的には、図１４に示す制御手順に従い、電源制御部５０２がＣＰＵ１１２の指示に従い、スリープモード状態に遷移させる場合に、予約ジョブ情報の出力時刻に基づいて、ＨＤＤ１３２に対する電源制御部５０２からの電力供給状態を異なる態様で制御する。
【００９９】
本実施形態では、第１の制御態様として、電源制御部５０２は、操作部１８０により設定された出力時刻と現在時刻との時間差が設定された第１の時間差（Ａ時間）以上であるかどうかを判断する。そして、第１の時間差以上であると判断した場合、電源制御部５０２からＨＤＤ１３２に対する電力供給を停止してスリープモード状態に遷移させる。
【０１００】
また、第２の制御態様として、電源制御部５０２は、操作部１８０により設定された出力時刻と現在時刻との時間差が設定された第１の時間差以下の第２の時間差（Ｂ（Ｂ＜Ａ時間）以上であるかどうかを判断する。そして、第２の時間差（Ｂ（Ｂ＜Ａ時間）以上であると判断した場合、電源制御部５０２からＨＤＤ１３２に対する電力供給を維持して前記スリープモード状態に遷移させる。
【０１０１】
また、第３の制御態様として、電源制御部５０２は、操作部１８０により設定された出力時刻と現在時刻との時間差が設定された第２の時間差以下である場合、電源部５００からＨＤＤ１３２に対する電力供給を維持する。なお、現在時刻は、例えば図４に示したリアルタイムクロックモジュール１３７から取得される。
【０１０２】
なお、ＣＰＵ１１２を含む常夜回路部５１３は、通常は常に電源を供給されており、電源制御部５０２がＦＥＴスイッチ５０３をＯＦＦするか、図示していないメインスイッチをＯＦＦするときのみ電源が遮断される。
【０１０３】
これは、画像入出力装置１００がスリープ状態においても、ネットワーク上のＰＣ４０１、４０２からの特定のパケットを受信して、スリープ状態を解除する必要がある。このために、ネットワークコントローラ１２５を含む周辺回路に対して電力を供給する必要があるからである。ここで、特定のパケットとは、特定のＩＰアドレスに出力するパケットを含む。
【０１０４】
＜通常ＰＤＬプリント時のシーケンス＞
図１２は、本実施形態を示す情報処理装置におけるデータ処理手順の一例を示すフローチャートである。本処理は、図１に示したＰＣ４０１、４０２のプリンタドライバによるＰＤＬデータ転送処理例である。なお、Ｓ１０１，Ｓ１０２は各ステップを示す。また、各ステップは、ＣＰＵ１１２がＲＯＭ１２１、あるいはＨＤＤ１３２よりＤＲＡＭ１２２にロードする制御プログラムを実行することで実現される。
【０１０５】
まず、例えばＰＣ４０１から受信したＰＤＬ画像データを出力する場合、Ｓ１０１で、ＰＣ４０１上でユーザがプリンタドライバを介して表示される、例えば図１０に示したプリンタ設定画面上で、当該ＰＤＬ画像出力ジョブのプリント設定を行う。
【０１０６】
図１０に示すように、プリント設定内容としては、部数、用紙サイズ、片面／両面、ページ出力順序、ソート出力、ステイプル止めの有無等である。また、予約印刷指定を選択すると、印刷ジョブを画像入出力装置１００のＨＤＤ１３２に蓄積して、指定されたプリント開始時刻にＨＤＤ１３２に蓄積された印刷ジョブを出力させる予約ジョブの設定が行える。
【０１０７】
Ｓ１０２では、ＰＣ４０１上で印刷指示を与え、それと共にＰＣ４０１上にインストールされているドライバソフトウェアが、印刷対象となるＰＣ４０１上のコードデータをいわゆるＰＤＬデータに変換する。そして、Ｓ１０１で設定したプリント設定パラメータとともに、本画像入出力装置の制御装置１１０に、ＬＡＮ４００を介してＰＤＬデータを転送する。この際、上記予約ジョブの設定がなされている場合、図１に示したＨＤＤ１３２一時的に蓄積されて、ＣＰＵ１１２によりジョブ実行が後述する図１４または前述した図７に示す制御手順に基づいて制御される。
【０１０８】
図１３は、本実施形態を示す画像処理装置における第１のデータ処理手順の一例を示すフローチャートである。本処理は、図１に示したＰＣ４０１、４０２等より受信する通常のＰＤＬ画像出力処理例である。なお、Ｓ２０１〜Ｓ２０７は各ステップを示す。また、各ステップは、ＣＰＵ１１２がＲＯＭ１２１、あるいはＨＤＤ１３２よりＤＲＡＭ１２２にロードする制御プログラムを実行することで実現される。
【０１０９】
Ｓ２０１で、コントローラ部１１０のＣＰＵ１１２は、ＬＡＮ４００を介してＰＣ４０１からＰＤＬデータを受信するのを待機し、ＰＤＬデータを受信したら、Ｓ２０２に進む。そして、Ｓ２０２で、ＣＰＵ１１２が、コネクタ１２６およびＮＣ１２５を介して転送されたＰＤＬデータを前記プリント設定パラメータに基づいて、画像データに展開（ラスタライズ）する。なお、画像データの展開は、ＤＲＡＭ１２２上に行われる。
【０１１０】
次に、Ｓ２０３で、メインコントローラ１１１がＤＲＡＭ１２２上に展開された画像データを、ＧＰ１５１に転送する。そして、Ｓ２０４でＧＰ１５１において必要な画像処理を行った後、Ｓ２０５へ進む。
【０１１１】
そして、Ｓ２０５では、ＧＰ１５１がメインコントローラ１１１へ画像処理後の画像データを転送する。メインコントローラ１１１は転送されてきた画像データをＤＲＡＭ１２２上に記憶する。
【０１１２】
次に、Ｓ１２０６では、メインコントローラ１１１はＧＰ１５１、プリンタ画像処理部１５３、コネクタ１５５を介してプリンタ部３００を制御しつつ、適切なタイミングでＤＲＡＭ１２２上の画像データを、プリンタ部３００へと転送する。
【０１１３】
そして、Ｓ２０７では、制御装置１１０が、プリンタ部３００を制御して画像データをプリント出力する。画像データの転送が完了すると、すなわち当該ＰＤＬジョブが終了すると、プリント出力を終了する。
【０１１４】
＜予約ジョブ動作時のシーケンス＞
図１４は、本実施形態を示す画像処理装置における第２のデータ処理手順の一例を示すフローチャートである。本処理は、図１に示したＰＣ４０１、４０２等より受信する予約ジョブ処理例である。なお、Ｓ３０１〜Ｓ３１３は各ステップを示す。また、各ステップは、ＣＰＵ１１２がＲＯＭ１２１、あるいはＨＤＤ１３２よりＤＲＡＭ１２２にロードする制御プログラムを実行することで実現される。
【０１１５】
ここでは、予約ジョブは、ＰＣ４０１，４０２のプリンタドライバ画面からＰＤＬデータのプリント開始時刻を予約指定するものとする。
【０１１６】
まず、Ｓ３０１で、ＰＣ４０１，４０２のプリンタドライバが提供する印刷設定画面（図１０参照）からプリント開始時刻を指定した予約ジョブが投入されたかどうかを判断する。ここで、予約ジョブが投入されたと判断した場合は、Ｓ３０２において、投入された予約ジョブをＨＤＤ１３２へスプールし記憶した後、ステップＳ３０３へ進む。
【０１１７】
一方、Ｓ３０１で、ＣＰＵ１１２が予約ジョブが投入されていないと判断した場合は、Ｓ３０３に進む。そして、Ｓ３０３で、ＣＰＵ１１２が画像入出力装置１００がコピー機能やプリント・ＦＡＸ送受信機能等の動作を行っていないスタンバイ状態から一定時間が経過しているかを判断する。
【０１１８】
次に、一定時間が経過していると判断した場合は、Ｓ３０４で、ＣＰＵ１１２は、ＨＤＤにスプールされている予約ジョブがあるかどうかを判定する。ここで、ＣＰＵ１１２が予約ジョブがＨＤＤ１３２に無いと判断した場合は、Ｓ３０９に進む。そして、Ｓ３０９で、ＣＰＵ１１２の指示に基づいて電源制御部５０２がＦＥＴスイッチ５０７を制御することで、ＨＤＤ１３２の電源をＯＦＦにしてスリープモードに移行する。
【０１１９】
具体的には、図１１に示した電源制御部５０２がＦＥＴスイッチ５０７をＯＦＦ状態にすることで、ＨＤＤ１３２の電源をＯＦＦ状態に遷移させる。
【０１２０】
一方、Ｓ３０４で、ＣＰＵ１１２がＨＤＤ１３２に予約ジョブがあると判断した場合、Ｓ３０５で、ＣＰＵ１１２が現在時刻との比較で、予約時刻まで所定のＡ時間以上あるかどうかを判断する。
【０１２１】
ここで、ＣＰＵ１１２が予約時刻まで所定のＡ時間以上あると判断した場合は、Ｓ３０９で、ＨＤＤ１３２の電源を、図１１に示した電源制御部５０２がＦＥＴスイッチ５０７をＯＦＦ状態にすることで、ＯＦＦにしてスリープモードに移行する。なお、予約時刻は、バックアップされるＳＲＡＭ１３９に記憶されているものとする。
【０１２２】
一方、Ｓ３０５で、ＣＰＵ１１２が予約時刻まで所定のＡ時間未満であると判断した場合は、さらにＳ３０６で、ＣＰＵ１１２が現在時刻との比較で予約時刻までＢ（Ａ＞Ｂとする）時間以上あるかどうかを判断する。ここで、ＣＰＵ１１２がＢ（Ａ＞Ｂとする）時間以上あると判断した場合は、Ｓ３０８で、ＨＤＤ１３２に対する電源をＯＮにしたままスリープモードに移行する。なお、ＡまたはＢをユーザが設定変更可能とする場合と、ＲＯＭ１２０等により特定の値に設定する場合とがある。これは、ユーザのデータ処理環境に合わせて、ユーザ好みの時間Ａ，Ｂ（Ａ＞Ｂ）を設定させて、利便性を向上させるためである。
【０１２３】
一方、Ｓ３０６で、ＣＰＵ１１２が現在時刻との比較で予約時刻まで所定のＢ時間未満であると判断した場合は、Ｓ３０７へ進む。そして、Ｓ３０７で、スリープモードには入らずに、ＨＤＤ１３２に対する電源供給状態をＯＮ状態としてスタンバイの状態を維持して、Ｓ３１０へ進む。
【０１２４】
そして、Ｓ３１０で、ＣＰＵ１１２が現在時刻との比較で、設定されていた予約時刻が来たかどうかを判断する。ここで、ＣＰＵ１１２が定されていた予約時刻が来たと判断した場合は、ＨＤＤ１３２の電源がＯＮで無ければ、Ｓ３１１で、ＣＰＵ１１２でＨＤＤ１３２の電源をＯＮ状態であるかを判断する。
【０１２５】
ここで、ＣＰＵ１１２がＨＤＤ１３２の電源をＯＦＦ状態であると判断した場合は、Ｓ３１２で、電源制御部５０２がＨＤＤ１３２の電源をＯＮ状態に遷移させて、Ｓ３１３へ進む。
【０１２６】
次に、Ｓ３１３で、ＨＤＤ１３２に保持されていた予約されたプリントジョブを実行して、本処理を終了する。
【０１２７】
一方、Ｓ３１０で、ＣＰＵ１１２が予約時刻が来ていないと判断した場合は、Ｓ３０１に戻り以下同様に予約ジョブの動作を繰り返す。
【０１２８】
なお、予約ジョブには、ＰＣ４０１，４０２のプリンタドライバ画面からＰＤＬデータのプリント開始時刻を予約指定する場合だけでない。例えば、操作部１８０上の画面から原稿データをスキャンしてＦＡＸ送信の開始時刻を予約指定する場合や、原稿データをスキャンしてネットワーク送信の開始時刻を予約指定する場合が考えられる。
【０１２９】
上記実施形態では、図１４に示すＳ３０３で、スタンバイモードからスリープモードに移行する場合、スタンバイから一定の時間が経過することでスリープモードに移行する場合について説明した。しかしながら、ユーザが操作部１８０のソフトスイッチを押すことで、スリープモードに移行させる構成であってもよい。
【０１３０】
なお、この場合は、図１４に示すＳ３０３の前後において、操作部１８０のソフトスイッチを押されたことをＣＰＵ１１２が判断するものとし、他の制御は、図１４と同様である。
【０１３１】
これにより、ＰＣ４０１等から受信する予約ジョブに対する処理中に、スリープモードに移行する場合に、その予約時間に到達するまでの時間差に応じて、ＨＤＤ１３２への電力供給を停止する制御が行われる。同様に、その予約時間に到達するまでの時間差に応じて、ＨＤＤ１３２への電力供給を維持したり、スタンバイモードとしたりする態様の制御が実行される。
【０１３２】
したがって、スリープモード移行時に、一律にＨＤＤ１３２に対する電源供給を停止する回数が軽減され、電源をオフ・オンするたびにＨＤＤ１３２のヘッドのロード／アンロードが繰り返される回数も軽減される。これにより、ＨＤＤ１３２の寿命を延ばすことが可能となる。
【０１３３】
〔第２実施形態〕
次に、本発明の第２実施形態について説明する。第１実施形態においては予約ジョブのデータをＨＤＤ１３２に記憶させるものとしていたが、第２実施形態では予約ジョブのデータをＤＲＡＭ１２２に記憶させる点が異なる。ただし、ＤＲＡＭ１２２の記憶容量はＨＤＤ１３２の記憶容量に比べて少ないので、あらゆる予約ジョブのデータを記憶させることはできないので、ＤＲＡＭ１２２の空き容量に応じて予約ジョブを記憶させるかどうかを切り替えるものとする。
【０１３４】
図１５は、本実施形態を示す画像処理装置における第３のデータ処理手順の一例を示すフローチャートであり、図１４の変形例である。なお、Ｓ３０１〜Ｓ３１３、Ｓ４０１〜Ｓ４０３は各ステップを示す。また、各ステップは、ＣＰＵ１１２がＲＯＭ１２１、あるいはＨＤＤ１３２よりＤＲＡＭ１２２にロードする制御プログラムを実行することで実現される。
【０１３５】
また、図１４と異なる点は新たにステップＳ４０１〜Ｓ４０３が加わっている点である。他のステップ（Ｓ３０１〜Ｓ３１０、３１２、３１３）については、第１実施形態の図１４で説明したものと同様であるので説明を省略する。
【０１３６】
図１５のステップＳ４０１でＣＰＵ１１２は、ステップＳ３０１で投入された予約ジョブのデータ量に対してＤＲＡＭ１２２に十分な空き容量があるか否かを判定する。そして、十分な空き容量があると判定すればステップＳ４０２へ進み、そうでなければステップＳ３０２へ進む。
【０１３７】
図１５のステップＳ４０２でＣＰＵ１１２は、予約ジョブのデータをＤＲＡＭ１２２へスプールして記憶させる。
【０１３８】
また、図１５のステップＳ４０２でＣＰＵ１１２は、予約時間となった予約ジョブがＤＲＡＭ１２２に記憶されているか否かにより、ＨＤＤ１３２への電源投入が必要か否かを判断する。具体的には、予約ジョブがＤＲＡＭ１２２に記憶されている場合、ＣＰＵ１１２はＨＤＤ１３２への電源投入が必要ないとしてステップＳ３１３へ進む。一方、予約ジョブがＤＲＡＭ１２２に記憶されていない場合、ＣＰＵ１１２はＨＤＤ１３２への電源投入が必要あるとしてステップＳ３１２へ進む。
【０１３９】
以上説明した第２実施形態によれば、ＤＲＡＭ１２２に予約ジョブが記憶できる場合は、スタンバイ状態からの復帰にあたってＨＤＤ１３２へ電源投入する必要がないため、ＨＤＤ１３２が電源をオン／オフする回数を減らすことができる。
【０１４０】
〔第３実施形態〕
次に、本発明の第３実施形態について説明する。
【０１４１】
第１実施形態及び第２実施形態においては、スタンバイモードからスリープモードに移行する場合、スタンバイから一定の時間が経過することでスリープモードに移行していた。それに対して、操作部１８０のソフトスイッチ３００６を押すことによりスリープモードに移行させることも考えられる。このとき、予約ジョブがＨＤＤ１３２に記憶されており、予約時刻が近い時に、ソフトスイッチ３００６を押した場合に以下のような対応が可能である。例えば、操作部１８０の液晶表示部に「もうすぐ予約プリントの出力時刻ですが、電源を切りますか。」等の表示を行い、ユーザに確認を取ることが考えられる。また、あるいは「もうすぐ予約プリントの出力時刻のためスリープできません。」等の表示を行ってスリープモードへの移行を禁止することも可能である。この場合、ソフトスイッチ３００６のＯＮ／ＯＦＦを短時間で繰り返すことにより、ＨＤＤ１３２の電源がオン／オフする回数を増やすことを防ぐことが可能となる。
【０１４２】
また、予約ジョブの保存先をＨＤＤ１３２またはＤＲＡＭ１２２のどちらかもしくは組み合わせてユーザが指定することも可能である。あるいは、予約ジョブの保存に必要な容量に応じて自動的に選択することも可能である。例えばデータ量が所定の容量以下の予約ジョブの場合にのみＤＲＡＭに保存することにより、予約ジョブ以外のデータ処理に必要なメモリ容量を確保しておくことが容易となる。
【０１４３】
〔第４実施形態〕
上記実施形態では、ＰＣ４０１、４０２等から予約ジョブとしてプリントジョブを受信して、ＨＤＤ１３２に蓄積して、予約された時刻にＨＤＤ１３２に記憶されたプリントジョブを処理する場合について説明した。つまり、ＰＣ４０１、４０２が記憶するプリンタドライバのプリント設定画面を介して予約ジョブの設定を行う場合について説明した。
【０１４４】
しかし、予約ジョブは、プリントジョブに限らず、画像入出力装置１００のリーダ部２００から読み取られて画像情報を外部機器に送信するジョブを、ＨＤＤ１３２に予約ジョブとして蓄積した後、予約時刻に外部機器に送信するジョブであってもよい。ここで、予約ジョブは、ファクシミリ送信ジョブ、データ転送ジョブが含まれる。
【０１４５】
本実施形態では、第１の制御態様として、電源制御部５０２は、ＰＣ４０１、４０２等から受信する予約ジョブ情報（例えばプリントジョブ）で設定された出力時刻と現在時刻との時間差が設定された第１の時間差（Ａ時間）以上であるかどうかを判断する。そして、第１の時間差以上であると判断した場合、電源制御部５０２からＨＤＤ１３２に対する電力供給を停止してスリープモード状態に遷移させる。
【０１４６】
また、第２の制御態様として、電源制御部５０２は、ＰＣ４０１、４０２等から受信する予約ジョブ情報（例えばプリントジョブ）で設定された出力時刻と現在時刻との時間差が設定された第１の時間差以下の第２の時間差（Ｂ（Ｂ＜Ａ時間）以上であるかどうかを判断する。そして、第２の時間差（Ｂ（Ｂ＜Ａ時間）以上であると判断した場合、電源制御部５０２からＨＤＤ１３２に対する電力供給を維持して前記スリープモード状態に遷移させる。
【０１４７】
また、第３の制御態様として、電源制御部５０２は、ＰＣ４０１、４０２等から受信する予約ジョブ情報（例えばプリントジョブ）で設定された出力時刻と現在時刻との時間差が設定された第２の時間差以下である場合、電源部５００からＨＤＤ１３２に対する電力供給を維持する。
【０１４８】
尚、操作部１８０には、予約ジョブの処理開始時刻を設定するための図９に示したＵＩ画面を表示させて、ボタンＢＴ１を指示した後、機能ボタンＦＢＴ１からＦＢＴ３０１４で機能を選択する。そして、ユーザがテンキーＫ１を操作して、予約時刻を設定するものとする。
【０１４９】
これにより、ＰＣ４０１等から受信する予約ジョブに対する処理中に、スリープモードに移行する場合に、その予約時間に到達するまでの時間差に応じて、ＨＤＤ１３２への電力供給を停止する制御が行われる。同様に、その予約時間に到達するまでの時間差に応じて、ＨＤＤ１３２への電力供給を維持したり、スタンバイモードとなる態様の制御が実行される。
【０１５０】
したがって、スリープモード移行時に、一律にＨＤＤ１３２に対する電源供給を停止する回数が軽減され、電源をオフ・オンするたびにＨＤＤ１３２のヘッドのロード／アンロードが繰り返される回数も軽減される。これにより、ＨＤＤ１３２の寿命を延ばすことが可能となる。
【０１５１】
〔他の実施形態〕
以下、図１６に示すメモリマップを参照して本発明に係る画像処理装置で読み取り可能なデータ処理プログラムの構成について説明する。
【０１５２】
図１６は、本発明に係る画像処理装置で読み取り可能な各種データ処理プログラムを格納する記憶媒体のメモリマップを説明する図である。
【０１５３】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１５４】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１５５】
本実施形態における図１３、図１４、図１５に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１５６】
以上のように、前述した実施形態の機能を実現するソフトウエアのプログラムコードを記録した記憶媒体を、システムあるいは装置に供給する。そして、そのシステムあるいは装置のコンピュータ（またはＣＰＵやＭＰＵ）が記憶媒体に格納されたプログラムコードを読出し実行することによっても、本発明の目的が達成されることは言うまでもない。
【０１５７】
この場合、記憶媒体から読み出されたプログラムコード自体が本発明の新規な機能を実現することになり、そのプログラムコードを記憶した記憶媒体は本発明を構成することになる。
【０１５８】
従って、プログラムの機能を有していれば、オブジェクトコード、インタプリタにより実行されるプログラム、ＯＳに供給するスクリプトデータ等、プログラムの形態を問わない。
【０１５９】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１６０】
この場合、記憶媒体から読出されたプログラムコード自体が前述した実施形態の機能を実現することになり、そのプログラムコードを記憶した記憶媒体は本発明を構成することになる。
【０１６１】
その他、プログラムの供給方法としては、クライアントコンピュータのブラウザを用いてインターネットのホームページに接続する。そして、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１６２】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１６３】
また、コンピュータが読み出したプログラムコードを実行することにより、前述した実施形態の機能が実現されるだけではない。例えばそのプログラムコードの指示に基づき、コンピュータ上で稼働しているＯＳ（オペレーティングシステム）等が実際の処理の一部または全部を行う。そして、その処理によって前述した実施形態の機能が実現される場合も含まれることは言うまでもない。
【０１６４】
さらに、記憶媒体から読み出されたプログラムコードが、コンピュータに挿入された機能拡張ボードやコンピュータに接続された機能拡張ユニットに備わるメモリに書き込ませる。その後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１６５】
本発明は上記実施形態に限定されるものではなく、本発明の趣旨に基づき種々の変形（各実施形態の有機的な組合せを含む）が可能であり、それらを本発明の範囲から排除するものではない。
【０１６６】
本発明の様々な例と実施形態を示して説明したが、当業者であれば、本発明の趣旨と範囲は、本明細書内の特定の説明に限定されるのではない。
【図面の簡単な説明】
【０１６７】
【図１】本発明の第１実施形態を示す画像処理装置の全体構成を示すブロック図である。
【図２】図１に示したリーダ部及びプリンタ部のハード構成を示す概観図である。
【図３】図２に示したスキャナ画像処理部の詳細な構成を示すブロック図である。
【図４】図１に示したコントローラ部の構成を示すブロック図である。
【図５】図４に示したスキャナ画像処理部を担う部分の詳細な構成を示すブロック図である。
【図６】図４に示したプリンタ画像処理部の詳細な構成を示すブロック図である。
【図７】図１に示した操作部の構成を説明する平面図である。
【図８】図１に示した操作部に表示する各画面のうち本実施形態に特徴的な画面であるメイン操作画面を示す図である。
【図９】図８に示したメイン操作画面から、「送信／ファックス」タブを押した時の、送信／ファックス設定時の操作部画面例を示す図である。
【図１０】図１に示したＰＣからネットワークを介してプリンタ部にデータを出力する場合の、ＰＣ上に表示されるプリンタドライバ画面の一例を示す図である。
【図１１】図１に示した電源部の詳細構成を説明するブロック図である。
【図１２】本実施形態を示す情報処理装置におけるデータ処理手順の一例を示すフローチャートである。
【図１３】本実施形態を示す画像処理装置における第１のデータ処理手順の一例を示すフローチャートである。
【図１４】本実施形態を示す画像処理装置における第２のデータ処理手順の一例を示すフローチャートである。
【図１５】本実施形態を示す画像処理装置における第３のデータ処理手順の一例を示すフローチャートである。
【図１６】本発明に係る画像処理装置で読み取り可能な各種データ処理プログラムを格納する記憶媒体のメモリマップを説明する図である。
【符号の説明】
【０１６８】
１３２  ＨＤＤ
５００  電源部
５０２  電源制御部
５１３  常夜回路部
【図１】
2007324956.tif 000003
【図２】
2007324956.tif 000004
【図３】
2007324956.tif 000005
【図４】
2007324956.tif 000006
【図５】
2007324956.tif 000007
【図６】
2007324956.tif 000008
【図７】
2007324956.tif 000009
【図８】
2007324956.tif 000010
【図９】
2007324956.tif 000011
【図１０】
2007324956.tif 000012
【図１１】
2007324956.tif 000013
【図１２】
2007324956.tif 000014
【図１３】
2007324956.tif 000015
【図１４】
2007324956.tif 000016
【図１５】
2007324956.tif 000017
【図１６】
2007324956.tif 000018